(57)【要約】      （修正有）【課題】手荷物品としてたくさんの物をバッグに入れて移動する場合に、はじめから邪魔になるけれど大きいバッグを持つか、他の袋に小分けして手で持って移動し持ちにくい、あるいは少し疲れるという問題を有していた。【解決手段】形状を変えることができるバッグで、大きめのバッグにした場合、たくさんの物を入れた時、荷重が重くなり持つこと自体が大変になる。その為、底板の折れる部分である両側の板にキャスターを取り付けて、蝶番部分は、その開閉角度を上向きに広がらない形状とし、底板は全体で平面を保ちつつそこに架かる荷重をキャスターに載せ、床面を転がして使えるようにすることで、重たいバッグを持つことから、曳き転がすことになるので使用上容易に持ち運びできる。バッグの形状を大きくすると自然とキャスターが出ることは、非常に扱いやすいバッグでもある。【選択図】図６
0003136322.tif 000002
【実用新案登録請求の範囲】
【請求項１】
バッグにおいて、マチ部分からみて底面となる底板を折れる形状とし、一つは折れ位置を中央の板が大きく両側の板が面積比でいえば中央の板に対しておよそ２分の一にして、両側の折れた板が中央の板に下側で重なるようにし、また一つは、折れた面積がおおよそ均等になるようにして、面積比で言えばそれぞれおよそ３分の一になるようにして中央の板が一番上で次に両側の板が下側で折り重なるように底板が折れるようにして三段重ねにし、そのような底板に開いた時一枚状の底板で、その開いた一枚状の底板にバッグとしての袋カバー部分を形成し、使用に応じて底板が一枚の平たい形状のとき十分に大きい状態で物を入れることができ、又、底板を重ねた状態で収納して、ファスナーなどの止め具で固定することにより、バッグは、全体としておおよそ半分または、それ以下のサイズになり手荷物としては非常に扱いやすくなるバッグ。
【請求項２】
請求項１のバッグに、その底板の中央部でなく開閉する両側の底板のところに、キャスターを取り付けて、あまりものを入れない状態で使用するときは、両側の底板は中央部の底板に重なっており、又、キャスターは内側に収納されており、その状態は、中央部板に穴を開けキャスターが下から突き出る形で収納し、その中央板の穴の部分にカバーを設けて、バッグ内の物と接触しないようにして、たくさん物を入れる時は、底板を重ねた状態から、開いた一枚状にして、蝶番部分をその開閉角度を上向きに広がらない形状とし、そうすると上向き内側に収納していたキャスターを下向き外側に出すことになり、たくさん物をバッグに入れたときは、キャスターを使用することができ、床面を転がして使用することができるバッグ。
【考案の詳細な説明】
【技術分野】
【０００１】  本考案は、バッグに係り、たくさんの物を入れて使用する時、あまり物を入れないで使用する時に、形状を変えて、手荷物品としての大きさを扱いやすくしたバッグに関するものである。
【背景技術】
【０００２】  従来、バッグにおいて、その用途に応じて様々なバッグがあり、たくさんの物を入れる時は、それだけの大きさを必要とする。しかし、物を入れる前は、その大きさは必要ないが、たくさんの物を入れる可能性に応じたバッグを携帯しなければならない。【０００３】  買い物等をしてバッグを使用するに当たり、最初からたくさん物を入れる予定がある時と、そうでない時がある。その為に、大きいバッグを持っていくことも有り、又、いつもの携帯するバッグに入りきらない分を、他の袋に小分けして移動することが多い。そのため持ちにくい、あるいは、手で持つため少し疲れることになる。
【考案の開示】
【考案が解決しようとする課題】
【０００４】本考案は、上記の状況を顧みてなされたもので、手荷物品としてたくさんの物を持って移動しようとする場合に、はじめから邪魔になるけれど大きいバッグを持つか、他の袋に小分けして手で持って移動し持ちにくい、あるいは少し疲れるという問題を有していた。【０００５】  本考案はいつもの携帯するバッグをその必要に応じて、形状を大きくして使用できるようにして、たくさんのものを入れることができるバッグを、又、重たくなったバッグを曳き転がして運べるバッグを提供することを目的としている。
【課題を解決するための手段】
【０００６】  上記目的を達成するために本考案におけるバッグは、バッグの底面を一枚板ではなく、主に三面折にして、つまりマチ部分からみて底面となる底板を折れる形状とし、一つは折れ位置を中央の板が大きく両側の板が面積比でいえば中央の板に対しておよそ２分の一にして、両側の折れた板が中央の板に下側で重なるようにし、また一つは、折れた面積がおおよそ均等になるようにして、面積比で言えばそれぞれおよそ３分の一になるようにして中央の板が一番上で次に両側の板が下側で折り重なるように底板が折れるようにして三段重ねにし、そのような底板を開いた時一枚状の底板で、そのような底板部分にバッグとしての袋カバー部分を形成し、使用に応じて底板が一枚の平たい形状のとき十分に大きい状態で物を入れることができ、又、底板を重ねた状態で収納して、ファスナーなどの止め具で固定することにより、バッグは、全体としておおよそ半分または、それ以下のサイズになり手持ちものとしては非常に扱いやすくなるバッグを作成し、いつもの携帯するバッグをその必要に応じて、形状を大きくして使用できるようにして、たくさんの物を入れることができるように形成したバッグ。【０００７】  上記のように形状を変えることができるバッグで、大きめのバッグにした場合、たくさんの物を入れた時、荷重が重くなり持つこと自体が大変になる。その為、底板の折れる部分である両側の板にキャスターを取り付けて蝶番部分をその開閉角度を上向きに広がらない形状とし、床面を転がして使えるようにすることで、重たいバッグを持つことから、曳き転がすことになるので使用上容易に持ち運びできる。
【考案の効果】
【０００８】  本考案は、手荷物品としてたくさんの物を持って移動しようとする場合に、はじめから邪魔になるけれど大きいバッグを持つということがなく、他の袋に小分けして手で持って移動し持ちにくい、あるいは疲れるという問題をバッグの形状を変えて、大きくすることで手荷物品をまとめることができて持ち運びが容易になるという効果がある。【０００９】  本考案のキャスター付バッグを使用すると、形状を変えて大きくしてたくさんの物を入れると重たくなり持つこと自体が出来なくなるのを、形状を大きくしたときに自然とキャスターも出てくるので持ち上げて運ぶのではなく、概ね使用上床面を転がすため容易に持ち運びが出来るという効果がある。またバッグを大きくするとキャスターが出る構造は、使い易いという効果もある。
【考案を実施するための最良の形態】
【００１０】  本考案のバッグは、請求項の記述のように概ね３枚折れの底板で、折れる板の各大きさや、マチ部分のカバーのところを内折か、外折かは、また、キャスターを付けるか、付けないか等は、商品として作るバッグの大きさ、デザイン、用途などに非常に関係するところがあり、一概にこの寸法、形が最良であるというのではなく、それぞれの用途に応じた形態、サイズがそれぞれに最善の形がある。しかし、考案のバッグは、普段携行するバッグのサイズを使用される方にとって良好な形態として言えば、２倍以上の大きさに変形し、あるいは、変形したときに自然とキャスターが出てくるのでそのまま容易に持ち運びが出来るという、今まで使っていたバッグの大きさを維持しながら、必要に応じて大きさを変えて収納できるという最良の形態を有している。
【実施例】
【００１１】  実施例について図面を参照して説明します。
【図１】
は、本考案の展開図（透視図・透視図）でバッグを使用するときに、たくさんの物を入れる為、底面のファスナーを外して、小さい状態から大きい状態へ変える展開状態を説明している。
【図２】
は、バッグの正面図です。
底面中央が大きく、その両側を中央の下側で重ねる２段重ねと、底面を３段重ねにした時、及び、マチ部分を内側にしている時、外側に出している時で、四通りの図面を記しています。
１Ｉ図が、展開した大きさの図でこれを元に、二重折底、三重折底にしたのがそれぞれ１Ｅ図、１Ｇ図で、バッグを小さくすると言う観点からまち部分は内側になっています。
しかし、使い方や、デザインの好みでマチ部分を外に出したのが１Ｆ図、１Ｈ図です。
【図３】
バッグをマチ部分から見た側面図です。
１Ｌ図は、展開した時のバッグの側面図です。これを元に中央底が大きく、その両側を中央板の下部に折り重ねて、面積比でおよそ二分の一にしたのが１Ｊ図。底を３段重ねにしたのが１Ｋ図。平面図での比較でそれぞれの容積比が良く分かります。
【図４】
バッグを上から見た上面図です。
内容は、図２、図３と同じ状態図ですが、マチ部分の位置関係が分かります。
【図５】
バッグを下から見た底面図です。
内容は、図４と同じ状態図ですが、底面のファスナー等で閉じている時の状態が分かります。
【図６】
請求項２における本考案のキャスター付バッグの展開図（斜視図・透視図）で、バッグを展開する時、たくさんの物を入れる為、底面のチャックを外して、小さい状態から大きい状態へ変える展開状態を説明している。
【図７】
請求項２におけるキャスター付バッグの正面図です。
マチ部分が内側の２Ｅ図、外出しの２Ｆ図で、２Ｉ図は、バッグを展開して大きくし、キャスターが出た状態です。
【図８】
請求項２におけるキャスター付バッグのマチ部分から見た側面図です。
２Ｊ図は、小さく収納された状態図で、キャスターはバッグの内に有り、上向きで、カバーで覆い、バッグ内の物が汚れない様にしている。
２Ｌ図は、展開した図でキャスターが下に出ている。
蝶番部分は、その開閉角度を上向きに広がらない形状とし、底板は全体で平面を保ちつつそこに架かる荷重をキャスターに載せている。
【図９】
請求項２におけるキャスター付バッグの上面図です。
まち部分が、内側にある２Ｍ図、外側にある２Ｎ図、展開した２Ｑ図で、バッグ内のキャスター、キャスターカバーそれぞれの位置関係が分かります。
【図１０】
請求項２におけるキャスター付バッグの底面図です。
２Ｒ図は、マチ部分が内側折で、２Ｓ図は、マチ部分が外折です。中央をファスナーで止めており、２Ｖ図は展開した時の図で、キャスターが出ています。
【産業上の利用可能性】
【００１２】  本考案は、バッグの構造において使用するに当たり、使用状況に応じてその形状を容易に変えることができる利便性を考えたバッグに関する。
【図面の簡単な説明】
【００１３】
【図１】本考案の請求項１における展開図（斜視図、透視図）  １Ａ図  展開前の状態図  １Ｂ図  展開中の状態図  １Ｃ図  展開中の状態図  １Ｄ図  展開した状態図
【図２】本考案の請求項１における正面図  １Ｅ図  中央の底板に両側の底板がセンターで閉じ、マチが内側  １Ｆ図  中央の底板に両側の底板がセンターで閉じ、マチが外側  １Ｇ図  底板が３段重ね状態でまちが内側  １Ｈ図  底板が３段重ね状態でまちが外側開いた形状  １Ｉ図  底板が開いた一枚状の展開した状態図
【図３】本考案の請求項１における側面図  １Ｊ図  中央の底板に両側の底板がセンターで閉じた状態図  １Ｋ図  底板が３段重ね状態図  １Ｌ図  底板が開いた一枚状の展開した状態図
【図４】本考案の請求項１における上面図  １Ｍ図  中央の底板に両側の底板がセンターで閉じ、マチが内側  １Ｎ図  中央の底板に両側の底板がセンターで閉じ、マチが外側  １Ｏ図  底板が３段重ね状態でまちが内側  １Ｐ図  底板が３段重ね状態でまちが外側  １Ｑ図  底板が開いた一枚状の展開した状態図
【図５】本考案の請求項１における下面図  １Ｒ図  中央の底板に両側の底板がセンターで閉じ、マチが内側  １Ｓ図  中央の底板に両側の底板がセンターで閉じ、マチが外側  １Ｔ図  底板が３段重ね状態でまちが内側  １Ｕ図  底板が３段重ね状態でまちが外側  １Ｖ図  底板が開いた一枚状の展開した状態図
【図６】本考案の請求項２における展開図（斜視図、透視図）  ２Ａ図  展開前の状態図  ２Ｂ図  展開中の状態図  ２Ｃ図  展開中の状態図  ２Ｄ図  展開した状態図
【図７】本考案の請求項２における正面図  ２Ｅ図  中央の底板に両側の底板がセンターで閉じ、マチが内側  ２Ｆ図  中央の底板に両側の底板がセンターで閉じ、マチが外側  ２Ｉ図  底板が開いた一枚状の展開した形状
【図８】本考案の請求項２における側面図  ２Ｊ図  中央の底板に両側の底板がセンターで閉じ  ２Ｌ図  底板が開いた一枚状の展開した状態図
【図９】本考案の請求項２における上面図  ２Ｍ図  中央の底板に両側の底板がセンターで閉じ、マチが内側  ２Ｎ図  中央の底板に両側の底板がセンターで閉じ、マチが外側  ２Ｑ図  底板が開いた一枚状の展開した状態図
【図１０】本考案の請求項２における下面図  ２Ｒ図  中央の底板に両側の底板がセンターで閉じ、マチが内側  ２Ｓ図  中央の底板に両側の底板がセンターで閉じ、マチが外側  ２Ｖ図  底板が開いた一枚状の展開した状態図
【符号の説明】
【００１５】  １・・・バッグの袋カバー部分
２・・・手提げ紐
３・・・マチ部分
４・・・マチの折り重ね部分
５・・・マチの外出し部分
６・・・蝶番
７・・・ファスナー
８・・・ファスナーのフック
９・・・キャスター
１０・・・キャスターカバー
１１・・・バッグの長くなった部分
１２・・・キャスターを通す穴
【図１】
0003136322.tif 000003
【図２】
0003136322.tif 000004
【図３】
0003136322.tif 000005
【図４】
0003136322.tif 000006
【図５】
0003136322.tif 000007
【図６】
0003136322.tif 000008
【図７】
0003136322.tif 000009
【図８】
0003136322.tif 000010
【図９】
0003136322.tif 000011
【図１０】
0003136322.tif 000012